(57)【要約】【課題】液晶テレビに映し出される動画映像が、広告媒体として有効に機能するような広告装置を提供する。【解決手段】本考案によるメディアミックス装置は、録音録画再生機器を利用した動画映像を視覚的に表現する広告装置あって、録音録画再生機器を所定位置に固定する固定基板と、録音録画再生機器で再生された動画映像を表示する液晶パネルと、固定基板に対して、所定の傾斜角で、液晶パネルを保持するように構成したパネル保持手段と、を備えている。パネル保持手段は、液晶パネルを保持する保持部材と、保持部材と固定基板との間で、保持部材を傾動可能に支持する支持脚及び／又は連結部材とを備えることを特徴とする。パネル保持手段および固定基板は、動画映像を演出する象形物として形成されていることを特徴とする。更に、文字情報を表示するメッセージモジュール及び／又はスピーカーを備えていることを特徴とする。【選択図】　　　　　図４
0003098594.tif 000002
【実用新案登録請求の範囲】
【請求項１】
録音録画再生機器を利用して、動画映像を視覚的に表現する広告装置あって、
前記広告装置は、前記録音録画再生機器を所定位置に固定する固定基板と、
前記録音録画再生機器で再生された動画映像を表示する液晶パネルと、
前記固定基板に対して、所定の傾斜角で、前記液晶パネルを保持するように構成したパネル保持手段とを備えていることを特徴とするメディアミックス装置。
【請求項２】
前記パネル保持手段は、前記液晶パネルを保持する保持部材と、該保持部材と前記固定基板との間で、前記保持部材を傾動可能に支持する支持脚及び／又は連結部材とを備えることを特徴とする請求項１に記載のメディアミックス装置。
【請求項３】
前記広告装置は、更に、文字情報を表示するメッセージモジュール及び／又はスピーカーを備えていることを特徴とする請求項１または２に記載のメディアミックス装置。
【請求項４】
前記連結部材は、前記保持部材の傾斜角度を段階的に調節するように噛み合わせ、前記保持部材と前記固定基板とを連結、もしくは、前記保持部材と前記支持脚とを連結すると共に、相互に回動を規制するように設けられていることを特徴とする請求項１乃至３の何れか１項に記載のメディアミックス装置。
【請求項５】
前記連結部材を前記固定基板の前方に設け、前記固定基板の後方にはキャスターを着脱自在に設けたことを特徴とする請求項１乃至４の何れか１項に記載のメディアミックス装置。
【請求項６】
前記パネル保持手段および前記固定基板は、前記動画映像を演出する象形物として形成されていることを特徴とする請求項１乃至５の何れか１項に記載のメディアミックス装置。
【請求項７】
前記録音録画再生機器は、インターネットに接続して動画映像を取り込むことができる通信部を装備していることを特徴とする請求項１乃至６の何れか１項に記載のメディアミックス装置。
【請求項８】
前記メッセージモジュールは、携帯電話で文字情報の入れ替えができるように、電話回線網に接続して前記携帯電話に接続する受信部を装備していることを特徴とする請求項１乃至７の何れか１項に記載のメディアミックス装置。
【考案の詳細な説明】
【０００１】
【考案の属する技術分野】
本考案は、動画映像を視覚的に表現する広告媒体に関し、録音録画再生機器を利用するものである。
【０００２】
【従来の技術】
近年、記録媒体が小型化され、大容量化されたことにより、パソコンに搭載されたＨＤＤ（ハードディスク）が、テレビで放映された録音録画情報を記録し、自在に再生できるようなものがある。また、録音録画再生機器としては、ＤＶＤ（デジタルビデオディスク）を、テレビに接続しＤＶＤに録音録画された映像や音楽を鑑賞できるものとなっている。このような、映像や音楽を鑑賞する際に、臨場感を持たせるようにするものとして、特開２００２−２１５２７０号公報には、ノートパソコン載置台が開示されている。この載置台は、ノートパソコンを載置する載置部と、その載置部の両側の夫々に設けられた一対のスピーカと、を備え、載置部には、スピーカへの音声信号を増幅するアンプ、もしくは、重低音用スピーカが設けられるものである。また、載置部は所定の角度で傾斜させる支持部を有すること、及び、一対のスピーカを傾斜させて取り付けるフレームを有し、ＣＤ−ＲＯＭやＤＶＤ−ＲＯＭに記憶された映画やコンサートの映像を鑑賞する場合、充分な音響効果が得られるものとなっている。
【０００３】
【考案が解決しようとする課題】
ＤＶＤビデオレコーダーやＶＴＲ（ビデオテープレコーダー）に記録させた動画映像は、それを見聞きする者に直接的印象を与えるので、広告媒体として広く利用されている。しかし、動画映像は液晶テレビを含む従来のテレビモニターに映し出されて視覚的に表現されるだけであり、充分な広告媒体としての効果が得られるものとはなっていなかった。本考案は、このような事情に鑑み、液晶テレビに映し出される動画映像が、広告媒体として有効に機能するような広告装置を提供する。
【０００４】
【課題を解決するための手段】
上記課題を解決するために、本考案によるメディアミックス装置は、録音録画再生機器を利用して、動画映像を視覚的に表現する広告装置あって、前記広告装置は、前記録音録画再生機器を所定位置に固定する固定基板と、前記録音録画再生機器で再生された動画映像を表示する液晶パネルと、前記固定基板に対して、所定の傾斜角で、前記液晶パネルを保持するように構成したパネル保持手段とを備えていることを特徴とする。前記パネル保持手段は、前記液晶パネルを保持する保持部材と、該保持部材と前記固定基板との間で、前記保持部材を傾動可能に支持する支持脚及び／又は連結部材とを備えることを特徴とする。前記広告装置は、更に、文字情報を表示するメッセージモジュール及び／又はスピーカーを備えていることを特徴とする。前記連結部材は、前記保持部材の傾斜角度を段階的に調節するように噛み合わせ、前記保持部材と前記固定基板とを連結、もしくは、前記保持部材と前記支持脚とを連結すると共に、相互に回動を規制するように設けられていることを特徴とする。前記連結部材を前記固定基板の前方に設け、前記固定基板の後方にはキャスターを着脱自在に設けたことを特徴とする。前記パネル保持手段および前記固定基板は、前記動画映像を演出する象形物として形成されていることを特徴とする。前記録音録画再生機器は、インターネットに接続して動画映像を取り込むことができる通信部を装備していることを特徴とする。前記メッセージモジュールは、携帯電話で文字情報の入れ替えができるように、電話回線網に接続して前記携帯電話に接続する受信部を装備していることを特徴とする。
【０００５】
これにより、液晶パネルの傾斜角度が任意に選択でき、液晶パネルに映し出される動画映像を印象的なものとする。支持脚はメディアミックス装置（広告装置）に高さを備えるので、液晶パネルが設置される環境に影響され難いものとなる。メディアミックス装置は、少なくても、これら固定基板およびパネル保持手段を、象形物として形成することにより、液晶パネルに映し出される動画映像を演出することができる。固定基板、保持部材、支持脚は、連結部材で回動可能に連結されることにより、折り畳み収納できるので、コンパクトなものとすることができる。液晶パネルに映し出される動画映像は、録音録画再生機器から送信される他、インターネットからも送信されるように構成することにより、録音録画再生機器の操作が簡略化できる。メディアミックス装置が、更に、文字情報を表示するメッセージモジュール及び／又はスピーカーを備えた場合、より効果的な宣伝効果を備える。
【０００６】
【考案の実施の形態】
図１は、ＤＶＤビデオレコーダー１のような録音録画再生機器を利用し、動画映像を液晶パネル６に映し出して広告宣伝するメディアミックス装置（広告装置）１０を示したものである。図１に示すように、このメディアミックス装置１０は、ＤＶＤビデオレコーダー１の位置を固定する固定基板２と、ＤＶＤビデオレコーダー１（録音録画再生機器）から再生された映像を表示する液晶パネル６と、固定基板２に対して所定の傾斜角で液晶パネル６を保持するように形成した保持部材４及び支持脚３（パネル保持手段）とを備え、それぞれが、留め具５（連結部材）で傾動可能に連結されている。
【０００７】
固定基板２および支持脚３、保持部材４および支持脚３は、それぞれ、留め具５で、固定されるように構成されているので、保持部材４を適度な高さで任意の傾斜角度とすることができる。これにより、保持部材４に保持されている液晶パネル６は、それを見る者にとって好適な位置とすることができ、ＤＶＤビデオレコーダー１で再生される動画映像が、液晶パネル６から好適に映し出される。
【０００８】
固定基板２は、ＤＶＤビデオレコーダー１を両側から挟む２枚の板状部材からなり、少なくとも支持脚３を連結するために、留め具５を挿通する挿通口（図省略）と、ＤＶＤビデオレコーダー１の位置を固定するために、ボルトを挿通する挿通口（図省略）とを有する。しかし、必ずしも挿通口を設ける必要はなく、例えば、固定手段として、ＤＶＤビデオレコーダー１を、固定基板２で両側から挟み接着すること等適宜実施し得る。材質については、支持脚３、及び、パネル保持手段４も含めて、特に限定されることはないが、液晶パネル６を保持するための充分な強度を必要とする。一例として、スチール、ステンレス、アルミ、透明な合成樹脂（スケルトン）など利用される環境に合わせて好適に選択できる。
【０００９】
液晶パネル６を保持する保持部材４は、液晶パネル６の形状に合わせて枠体を形成して液晶パネル６を嵌め込むこと、もしくは、液晶パネル６が保持できるように、その四隅を保持する係合部材を取り付けることで実施できる。図１は、固定基板２と同様、ＤＶＤビデオレコーダー１を両側から挟む２枚の板状部材で、保持部材４が構成されていることを示したものである。
【００１０】
図２は、メディアミックス装置１０の折り畳み状態を示したものであり、ＤＶＤビデオレコーダー１の上に液晶パネル６を被せている。即ち、メディアミックス装置１０は、液晶パネル６がパネル保持部材４で保持され、そのパネル保持部材４が、留め具５で、固定基板２、及び、支持脚３で連結されたものであるので、留め具５を緩めて折り畳めるように形成されている。これにより、移動や収納の際には、コンパクトなものとすることができる。
【００１１】
図３は、固定基板２に保持部材４を連結させ、この保持部材４にスピーカー７を取り付けたものである。この場合、支持脚３がないので、ＤＶＤビデオレコーダー１の直ぐ上で、液晶パネル６の映像が映し出されることになるが、留め具５により、固定基板２に対して所定の傾斜角度で固定することはできる。尚、録音録画再生機器が、ＤＶＤビデオレコーダー１である実施の形態を示したが、ＶＴＲ（ビデオテープレコーダー）や、ＨＤＤ（ハードディスク）を内蔵させたビデオレコーダー、さらに、インターネットと接続する通信部を備えたビデオレコーダーなど、液晶パネル６に動画映像が映し出せる機器が好適に利用できる。
【００１２】
図４は、保持部材４が液晶パネル６の他に、更に、文字情報を表示するメッセージモジュール８およびスピーカー７を保持する実施の形態を示したものである。メッセージモジュール８については、一例として、蛍光表示管を利用し、文字情報を浮彫させて表示すること、及び、文字情報を連続的にスクロールさせることができるようにするのがよい。また、表示させる文字情報については、パソコンに接続して文字入力すること、及び、電話回線網と接続される受信部を装備させ、携帯電話を利用して無線で文字情報の入れ替えができるようにすることにより、適時好適な情報が提供できるものとなる。尚、この実施の形態においては、スピーカー７を液晶パネル６の背面に装着させ、音楽や音声が液晶パネル６から発生するようにしてもよい。
留め具５ａ（噛み合わせネジ）は、保持部材４と支持脚３、及び、支持脚３と固定基板２とを連結する連結部材として用いられ、それぞれ支持脚３および保持部材４の傾斜角度を段階的に調節する。また、支持脚３を固定基板２の前方で立設させるようにした場合、固定基板２の後方に、キャスター１７を着脱自在に設け、メディアミックス装置１０の移動がし易いように構成してもよい。
【００１３】
図５は、支持脚３と固定基板２とを連結する留め具５ａ（噛み合わせネジ）を示したものである。この留め具５ａは、係合子２１ａを備えた係合盤２０ａと、係合子２１ｂを備えた係合盤２０ｂと、を相互に対峙させ、それぞれ、係合盤２０ａおよび係合盤２０ｂを、支持脚３および固定基板２にビス２２で固定したものである。この留め具５ａは、さらに、支持脚３、固定基板２、係合盤２０ａ、係合盤２０ｂの中央部にボルト１８を挿通させ、ツマミ１５を回転させることにより、ネジで支持脚３と固定基板２との間隔を狭めて、係合子２１ａと係合子２１ｂとを噛み合わせるものである。係合盤２０ａおよび係合盤２０ｂの間には、バネ１２がボルト１８に挿通されて設けられており、ツマミ１５の操作感が良いものとなっている。
【００１４】
図６は、対峙させて係合させる係合子２１ａを備えた係合盤２０ａと、係合子２１ｂを備えた係合盤２０ｂとの対峙面を示したものであり、係合盤（２０ａ、２０ｂ）には、その外周面に互いに係合するように凹凸を形成した係合子（２１ａ、２１ｂ）が設けられている。
以上説明したように、留め具５ａは、左右の連結部において、支持脚３と固定基板２、もしくは、保持部材４と支持脚３を所定傾斜角度で維持し連結する。
【００１５】
図７は、留め具５ａの第２の実施の形態を示したものであり、（ａ）は、支持脚３と固定基板２との間を狭めた係合状態を示し、（ｂ）は、ツマミ１５をＸ方向（図中、矢印で示す）に引いて支持脚３と固定基板２との間（図中、矢印Ｙ−Ｙで示す）を広げることにより、係合状態を解除した状態であり、（ｃ）は、左右の留め具５ａを連結棒１４で連結した形態を示したものである。この留め具５ａは、ツマミ１５と基部１１を備え、基部１１の内部には、摺動駒１３がバネ１２で付勢されて基部１１に対して摺動可能に組み込まれている。摺動駒１３は、ボルト１８もしくは連結棒１４にネジで固定されており、ツマミ１５の引き操作で、支持脚３と固定基板２との間が広げられるものとなっている。
【００１６】
留め具５ａは、上述したように構成されているので、支持脚３と固定基板２とを固定する際に、ツマミ１５を左右方向に引くことにより、左右において、固定基板２と支持脚３との間を開き、係合子２１ａと係合子２１ｂとの係合を外すことができるものとなる。この状態では、バネ１２により、ツマミ１５が内側に付勢されているが、係合子２１ａと係合子２１ｂとの係合箇所を変えて傾斜角度を変えた後には、手を離すだけで、再び、係合盤２０ａと係合盤２０ｂが対峙して係合状態となる。これにより、支持脚３と固定基板２とが、相互に回動を規制されて、傾斜角度が維持される。
【００１７】
本考案のメディアミックス装置１０（広告装置）は、支持脚３、固定基板２、保持部材４を略Ｚ形状に一体形成すること、及び、支持脚３、固定基板２、保持部材４の少なくとも何れか一つを象形物として形成することは有効である。象形物としては、自然物、ポップなキャラクターなど利用することができ、これら、象形物が液晶パネル６に映し出される動画映像を演出するものであった場合は、効果的な広告装置となる。また、メディアミックス装置１０に防滴・防水処理を施し、屋内のみならず屋外でも利用されるようにしてもよい。
【００１８】
【考案の効果】
本考案は、上記のとおり構成されているので、次に記載する効果を奏する。
録音録画再生機器を所定位置に固定する固定基板と、再生された動画映像を表示する液晶パネルと、所定の傾斜角で液晶パネルを保持するように形成した保持部材と、を備えているメディアミックス装置は、液晶パネルの傾斜角度が任意に選択できるので、映し出される動画映像を印象的なものとする。さらに、メッセージモジュールが設けられたものは、携帯電話やパソコンで文字情報の入れ替えができるように構成されているので、適時好適な文字情報が流せる。
支持脚は、広告装置に高さを備えるので、障害物を越えて液晶パネルを配置することもでき、設置される環境に影響され難いものとなり、キャスターが固定基板に設けられたものは、移動が容易になる。
固定基板、パネル保持手段、支持脚が象形物として形成された場合、液晶パネルに映し出される動画映像が演出される。
固定基板、保持部材、支持脚は、連結部材で傾動可能に連結されることにより、折り畳み収納できるので、広告装置をコンパクトなものとすることができる。液晶パネルに映し出される動画映像は、録音録画再生機器から送信される他、インターネットからも送信されるように構成されることにより、録音録画再生機器の操作が簡略化でき、さらに、動画映像の種類を豊富なものとすることができる。
【図面の簡単な説明】
【図１】メディアミックス装置の第１の形態を示す斜視図である。
【図２】折り畳み状態を示したものである。
【図３】メディアミックス装置の第２の形態を示す斜視図である。
【図４】メディアミックス装置の第３の形態を示す斜視図である。
【図５】第１の形態の留め具を示した説明図である。
【図６】係合子を備えた係合盤の対峙面を示した説明図である。
【図７】第２の形態の留め具を示した説明図であり、（ａ）は、係合状態を示し、（ｂ）は、係合状態を解除した状態であり、（ｃ）は、左右の留め具を連結棒で連結した形態を示したものである。
【符号の説明】
１　ＤＶＤビデオレコーダー
２　固定基板
３　支持脚
４　保持部材
５　留め具
５ａ　留め具（噛み合わせネジ）
６　液晶パネル
７　スピーカー
８　メッセージモジュール
１０　メディアミックス装置
１１　基部
１２　バネ
１３　摺動駒
１４　連結棒
１５　ツマミ
１７　キャスター
１８　ボルト
２０ａ、２０ｂ　係合盤
２１ａ、２１ｂ　係合子
２２　ビス
２３　ビス止め項口
【図１】
0003098594.tif 000003
【図２】
0003098594.tif 000004
【図３】
0003098594.tif 000005
【図４】
0003098594.tif 000006
【図５】
0003098594.tif 000007
【図６】
0003098594.tif 000008
【図７】
0003098594.tif 000009